(57)【特許請求の範囲】
【請求項１】
筒状の遮断竿本体に、
光を受けて発電を行う発電部と、
前記発電部から得られる電気を蓄電する蓄電部と、
前記発電部及び前記蓄電部の少なくとも一方から電気を供給されて発光する発光部と、
前記発光部の発光の制御を行う制御部とが設けられており、
前記遮断竿本体の少なくとも一端部に、他の遮断竿本体が連結され、直列状態に固定される連結部が設けられており、
前記発光部とその配線と当該発光部を格納するユニットカバーとがユニット化されており、
一つの前記遮断竿本体につき複数の前記ユニットカバーが前記遮断竿本体の長手方向に沿ってその外周面上に並べて装備されており、
一つの前記遮断竿本体において前記配線は雄型と雌型のコネクタにより接続されており、
前記ユニットカバーが前記遮断竿本体に対して着脱可能であることを特徴とする踏切遮断竿。
【請求項２】
前記遮断竿本体の傾斜角度を検出する角度検出部を備え、
前記制御部は、前記角度検出部による前記遮断竿本体の検出角度に基づいて前記発光部を発光させることを特徴とする請求項１記載の踏切遮断竿。
【請求項３】
前記遮断竿本体の周囲の光強度を検出する光検出部を備え、
前記制御部は、前記光検出部による前記遮断竿本体の周囲の検出光強度に基づいて前記発光部を発光させることを特徴とする請求項１又は２記載の踏切遮断竿。
【請求項４】
前記発光部及び前記発電部の配線が前記ユニットカバーにより覆われており、
前記遮断竿本体の少なくとも一端部側には、前記ユニットカバーが装備されていないことを特徴とする請求項１から３のいずれか一項に記載の踏切遮断竿。
【発明の詳細な説明】
【技術分野】
【０００１】
本発明は、踏切遮断竿に関する。
【背景技術】
【０００２】
近年、踏切事故防止の観点から、踏切遮断竿の外周面上に複数の発光素子を並列に取り付けて発光させることで注意を喚起する踏切装置が提案されている。
この踏切装置は、遮断竿の外部にボックス状の電気装置本体が装備され、その表面にはパネル状の太陽電池が設けられ、内部には蓄電池及び発光素子の制御回路が設けられている（例えば、特許文献１参照）。
上記制御回路は遮断竿の姿勢を検出する検出部を具備しており、遮断竿が開いている状態では発光素子を消灯し、遮断竿が閉じた状態では発光素子が点灯するように制御を行っている。
上記従来の踏切装置は、太陽電池から得られる電力を蓄電池に充電すると共に発光素子に電力の供給を行い、踏み切り装置の外部からの電力供給を不要としている。また、電力不足とならないように、遮断竿が閉じた時にのみ発光素子を発光させることで省電力化を図っている。
【先行技術文献】
【特許文献】
【０００３】
【特許文献１】特開平０７−２２８２５４号公報
【発明の概要】
【発明が解決しようとする課題】
【０００４】
ところで、踏切遮断竿はその長さを道路の幅員に合わせる必要がある。しかしながら、上記従来の踏切遮断竿は、長さ調節を考慮した構造ではないことから、道路の幅員に合わせた踏切遮断竿を個々に設計して製造しなければならなかった。
【０００５】
本発明は、発光部による発光を行いつつも、必要に応じて種々の長さに対応可能な踏切遮断竿を提供することをその目的とする。
【課題を解決するための手段】
【０００６】
本発明は、
筒状の遮断竿本体に、
光を受けて発電を行う発電部と、
前記発電部から得られる電気を蓄電する蓄電部と、
前記発電部及び前記蓄電部の少なくとも一方から電気を供給されて発光する発光部と、
前記発光部の発光の制御を行う制御部とが設けられており、
前記遮断竿本体の少なくとも一端部に、他の遮断竿本体が連結され、直列状態に固定される連結部が設けられており、
前記発光部とその配線と当該発光部を格納するユニットカバーとがユニット化されており、
一つの前記遮断竿本体につき複数の前記ユニットカバーが前記遮断竿本体の長手方向に沿ってその外周面上に並べて装備されており、
一つの前記遮断竿本体において前記配線は雄型と雌型のコネクタにより接続されており、
前記ユニットカバーが前記遮断竿本体に対して着脱可能であることを特徴とする。
【０００７】
また、上記踏切遮断竿は、
前記遮断竿本体の傾斜角度を検出する角度検出部を備え、
前記制御部は、前記角度検出部による前記遮断竿本体の検出角度に基づいて前記発光部を発光させる構成としても良い。
【０００８】
また、上記踏切遮断竿は、
前記遮断竿本体の周囲の光強度を検出する光検出部を備え、
前記制御部は、前記光検出部による前記遮断竿本体の周囲の検出光強度に基づいて前記発光部を発光させる構成としても良い。
【００１０】
また、上記踏切遮断竿は、
前記発光部及び前記発電部の配線が前記ユニットカバーにより覆われており、
前記遮断竿本体の少なくとも一端部側には、前記ユニットカバーが装備されていない構成としても良い。
【発明の効果】
【００１１】
上記踏切遮断竿は、発電部と蓄電部とを備えるので、発光部を発光させる為の電力を外部から供給することを不要とすることが可能である。
そして、外部からの電力供給を不要とするので、遮断竿本体の端部同士を連結する場合でも、それぞれの踏切遮断竿に対して外部から電力供給を行うための配線などの手段を新たに設ける必要がないので、連結作業そのものが容易となる。このため、発光する機能を具備しつつも、道路の幅員に応じて容易に長さ調節を行うことが可能な踏切遮断竿を提供することが可能となる。
【図面の簡単な説明】
【００１２】
【図１】発明の実施形態である踏切遮断竿の斜視図である。
【図２】図２（Ａ）は遮断状態における踏切遮断竿の正面図、図２（Ｂ）は平面図、図２（Ｃ）は側面図である。
【図３】遮断竿本体の端部同士の連結状態を示した断面図である。
【図４】一部の構成を省略した発光装置の平面図である。
【図５】発光装置の回路図である。
【図６】制御基板のブロック図である。
【発明を実施するための形態】
【００１３】
［発明の実施形態の概要］
発明の実施形態である踏切遮断竿１０について、図１乃至図６に基づいて説明する。
踏切遮断竿１０は、図示しない踏切装置に保持され、水平に向けられた遮断状態と起立した通過可能状態のほぼ90°の範囲で回動動作が付与され、線路の横断の許可と禁止とを外部に報知するための器具である。
上記踏切遮断竿１０は、踏切装置により回動動作が行われる筒状の遮断竿本体２０と、当該遮断竿本体２０に装備された発光装置３０とから主に構成されている。
【００１４】
［遮断竿本体］
遮断竿本体２０は、柔軟性と強度とを備えた材料、例えば、グラスファイバー等を主材料とする円筒部材である。遮断竿本体２０の外周面は、その長手方向に沿って、黒色と黄色とが一定間隔で交互に繰り返すように着色されている。
図２（Ａ）は踏切装置により装備された状態における正面図である。図示のように、遮断竿本体２０の外周面における正面側には、発光装置３０の発光部としての複数のＬＥＤ(Light Emitting Diode)４１，４１，…が遮断竿本体２０の長手方向に沿って並んで装備されている。そして、遮断状態の遮断竿本体２０の前で踏み切り開放を待つ歩行者、運転者に対して各ＬＥＤ４１，４１，…は対向するように配置され、光照射を行うように歩行者等にている。
【００１５】
遮断竿本体２０は全長に渡って外径がほぼ一定であり、図３に示すように、踏切装置に支持装備される端部（以下、基端部２１とする）側がその先端に向かうにつれて徐々に縮径し、その外周面が緩やかな円錐面となっている。
また、遮断竿本体２０は全長に渡って内径がほぼ一定であり、基端部２１とは逆側の端部（以下、回動端部２２とする）は、その先端に向かうにつれて僅かに拡径している。
遮断竿本体２０は基端部２１及び回動端部２２が連結部となっており、その回動端部２２に他の遮断竿本体２０の基端部２１を挿入し、或いは、遮断竿本体２０の基端部２１を他の遮断竿本体２０の回動端部２２に挿入して直列に連結することが可能である。そして、この連結構造により、遮断桿本体同士が同一直線上で直列に並んだ状態で固定される。このように、複数の遮断竿本体２０同士を連結することで、幅員の異なる道路に対して適正な長さに調節することが可能となっている。
また、遮断竿本体２０は、通常は、その回動端部２２の開口に雨水の侵入を防止するための樹脂製のキャップ２３が装着されている。このキャップ２３は着脱可能であり、他の遮断竿本体２０を連結する際には外すことができるようになっている。
【００１６】
なお、踏切遮断竿１０は、遮断竿本体２０の長さが異なるものを複数用意し、これらを適宜組み合わせることにより、より多くの長さに調節することが可能である。
また、遮断竿本体２０は、基端部２１を除くほぼ全長に渡って回動端部２２側に向かうにつれて徐々に縮径する形状としてもよい。その場合、回動端部側を軽量化することができ、回動時の振れを低減することが可能となる。この場合、遮断竿本体２０の回動端部２２側に他の遮断竿本体２０を連結する場合には当該他の遮断竿本体２０はその基端部２１がより小径なものを使用することが望ましい。また、同様に、遮断竿本体２０の基端部２１を他の遮断竿本体２０に連結する場合には、当該他の遮断竿本体２０はその回動端部２２がより大径なものを使用することが望ましい。
【００１７】
［発光装置］
発光装置３０は、図１及び図２に示すように、三つのＬＥＤユニット４０，４０，４０と、二つのソーラーユニット５０，５０と、制御ユニット６０とから主に構成されている。
上記各ＬＥＤユニット４０と各ソーラーユニット５０は、図２に示すように、それぞれのユニットカバー４３，５２が遮断竿本体２０の長手方向に沿った状態で交互に一列に並んで遮断竿本体２０の外周面上に取り付けられている。
【００１８】
［ＬＥＤユニット］
図２、図４及び図５に示すように、三つのＬＥＤユニット４０は、いずれも、三つのＬＥＤ４１と、各ＬＥＤ４１を保持する支持枠としての支持基板４２と、長尺のユニットカバー４３と、ＬＥＤ４１と後述するソーラーパネル５１の配線となるリード線５３，５４，５５とを主に備えている。
【００１９】
各ユニットカバー４３は、正面視で長方形状であって、遮断竿本体２０に平行となるようにその外周面上に装備されている。さらに、ユニットカバー４３は、その長手方向に垂直な断面形状が凹状であり、その内部にＬＥＤ４１、支持基板４２及びリード線５３，５４，５５を収容している。また、ユニットカバー４３の正面側における長手方向に沿って、内部のＬＥＤ４１，４１，４１から外部へ光照射を行う為の三つの窓部４３１，４３１，４３１が形成されている。各窓部４３１，４３１，４３１にはいずれも透明なカバーが装備され、雨水、湿気などの侵入を防止している。
【００２０】
各ユニットカバー４３は、その両端部において遮断竿本体２０の外周面側に樹脂製のリベット４４，４４で着脱可能に取り付けられている。即ち、この樹脂製のリベット４４，４４は中心部にネジを備えており、このネジによって、遮断竿本体２０の外周面に設けられた取り付け穴に対して着脱を可能としている。
【００２１】
支持基板４２は、ユニットカバー４３よりも幾分短い長尺基板であり、ユニットカバー４３の内側に格納保持されている。
この支持基板４２の片面には、その長手方向に沿って一定間隔でＬＥＤ４１，４１，４１が半田接続されている。支持基板４２をユニットカバー４３内に配置した状態において、各ＬＥＤ４１，４１，４１は、それぞれユニットカバー４３の三つの窓部４３１，４３１，４３１に臨むように配置されている。
【００２２】
また、支持基板４２の両端部には、ＬＥＤユニット４０の両側に隣接するソーラーユニット５０，５０のそれぞれに向かうリード線５３，５４，５５が接続されている。そして、支持基板４２には、両端部のリード線５３，５４，５５をそれぞれ接続し、各ＬＥＤ４１，４１，４１への給電を行う配線が形成されている。
【００２３】
支持基板４２の一端部側のリード線５３，５４，５５は当該一端部側に隣接するソーラーユニット５０のユニットカバー５２（後述）の内部まで延出されており、当該延出端部には雌側の防水コネクタ５７が装備されている。また、支持基板４２の他端部側のリード線５３，５４，５５は当該他端部側に隣接するソーラーユニット５０のユニットカバー５２の内部まで延出されており、当該延出端部には雄側の防水コネクタ５６が装備されている。
そして、雄型と雌型の防水コネクタ５６，５７は、それぞれソーラーユニット５０を挟んで隣接する他のＬＥＤユニット４０の雌型又は雄型の防水コネクタ５７，５６に接続されている。即ち、各リード線５３，５４，５５は、隣接するソーラーユニット５０のユニットカバー５２内に延出され、当該ユニットカバー５２の内部で雌型と雄型の防水コネクタ５７，５６を介して他のＬＥＤユニット４０のリード線５３，５４，５５に接続されている。
なお、遮断竿本体２０の基端部２１に最も近いＬＥＤユニット４０の支持基板４２の他端部側のリード線５３，５４，５５は、雌型と雄型の防水コネクタ５７，５６を介して、制御ユニット６０の制御基板７０に接続されたリード線５３，５４，５５と接続されている。
【００２４】
また、上記リード線５３は各ＬＥＤ４１への給電を行い、リード線５４はアース線であり、リード線５５はソーラーパネル５１から制御ユニット６０への送電を行う。
【００２５】
［ソーラーユニット］
図２、図４及び図５に示すように、二つのソーラーユニット５０は、いずれも、遮断竿本体２０の外周面上に沿って装備される発電部としてのソーラーパネル５１，５１と、長尺のユニットカバー５２とを備えている。
【００２６】
ソーラーパネル５１，５１は、シート状であり、光照射を受けて発電を行う太陽電池を備えている。そして、各ソーラーパネル５１，５１は、遮断竿本体２０が前述した遮断状態となるときの上側と下側となる位置に装備されている。ソーラーパネル５１は、接着、粘着テープによる貼着、ベルトによる締結等、固定可能ないずれの方法で取り付けても良い。
このように、遮断竿本体２０の外周面における上部と下部とにソーラーパネル５１，５１を個別に装備することにより、遮断竿本体２０が回動していずれの方向を向いている場合でも、少なくともいずれか一方のソーラーパネル５１，５１が日照を受けて発電を行うことが可能である。
【００２７】
ユニットカバー５２は、正面視で長方形状であって、遮断竿本体２０に平行となるようにその外周面上に装備されている。さらに、ユニットカバー５２はその長手方向に垂直な断面形状が凹状であり、その内部には、その両側に隣接するＬＥＤユニット４０，４０から延びるリード線５３，５４，５５及び防水コネクタ５６，５７を収容している。そして、二つのソーラーパネル５１，５１は、それぞれの端部がユニットカバー５２の内側まで延びており、一方のリード線５４，５５に接続されている。
このユニットカバー５２も、その両端部において遮断竿本体２０の外周面側に樹脂製のリベット５８，５８で着脱可能に取り付けられている。
【００２８】
さらに、各ＬＥＤユニット４０のユニットカバー４３と各ソーラーユニット５０のユニットカバー５２とは、互いの端部を突き合わせた状態で遮断竿本体２０の外周面上に一列に並べて装備される。このため、各ユニットカバー４３，５２の突き合わせ端部には、ユニットカバー４３，５２の端部間を懸架した状態で連結部材１１が装備されている。
この連結部材１１は、両端部にそれぞれボス状の突起を備えており、ユニットカバー４３，５２のそれぞれの突き合わせ端部に形成された図示しない嵌合穴に挿入される。これにより、ユニットカバー４３，５２は各々の端部同士を突き合わせた連結状態が維持されるようになっている。
なお、ＬＥＤユニット４０の全体に、物理的、化学的に安定した樹脂をコーティングして湿気、水分の影響を排除し、リード線５３，５４，５５の電気的接続を維持している。
また、ユニットカバー４３，５２と遮断竿本体２０の外周面との間にシール部材を介挿してユニットカバー４３，５２の内部の水密を図ってもよい。
【００２９】
［制御ユニット］
制御ユニット６０は、図４及び図５に示すように、各ＬＥＤ４１の発光制御を行う制御部としての制御基板７０と、各ソーラーパネル５１から得られる電力を充電する蓄電部としての二次電池６１と、これらを格納する防水ケース６４とを備えている。
防水ケース６４は円柱状であり、内部は中空となっている。この防水ケース６４は、図示しない防水用のシール部材を介してケース部材６２，６３を結合させた半割構造となっている。
上記制御ユニット６０の防水ケース６４は、遮断竿本体２０の内部であって基端部２１の近傍に固定装備されている。遮断竿本体２０の内部において、防水ケース６４は、ネジ止め、接着、粘着テープ、はめ込み等いずれの方法で固定しても良い。但し、着脱可能に固定することがより望ましい。
【００３０】
なお、制御ユニット６０の制御基板７０にはリード線５３，５４，５５が接続されており、最も近接するＬＥＤユニット４０の支持基板４２に接続されたリード線５３，５４，５５と防水コネクタ５６，５７を介して接続されている。
上記ＬＥＤユニット４０から延びるリード線５３，５４，５５は遮断竿本体２０の外周面に形成された貫通穴を通って、遮断竿本体２０の内部で、制御ユニット６０側のリード線５３，５４，５５と接続されている。
【００３１】
二次電池６１は、例えば、1.2[V]のニッケル水素電池を二本直列接続したものから構成されている。但し、これは一例であり、電圧は適宜変更可能である。また、ニッケル水素電池に限らず、他の二次電池、例えば、ニッケルカドミウム電池、リチウムイオン電池、鉛電池等でも良い。
【００３２】
制御基板７０は、図６に示すように、各ソーラーパネル５１から得られる電気を二次電池６１に充電する充電制御部７１と、二次電池６１を電源として各ＬＥＤ４１の光量制御を行うＰＷＭ(Pulse Width Modulation)ドライブ７２と、二次電池６１に対する充電制御、ＬＥＤ４１に対する発光制御を行うマイコン７３と、二次電池６１を電源として制御用電力を得る電圧レギュレータ７４と、遮断竿本体２０の傾斜角度を検出する角度検出部としての傾斜センサー７５と、遮断竿本体２０の周囲の光強度を検出する光検出部としての照度センサー７６とを備えている。
【００３３】
上記充電制御部７１は、二次電池６１への電流値、電圧値の適正化を図ると共に、マイコン７３からの制御指令を受けて、過充電や過放電を防止する制御を行う。
ＰＷＭドライブ７２は、ＬＥＤ４１への通電パルスのデューティー比を変えて適正な光量で発光させる。
電圧レギュレータ７４は二次電池６１からの電圧を適正な制御電圧に変換する。
【００３４】
傾斜センサー７５は、例えばジャイロセンサーであり、遮断竿本体２０の傾斜角度を検出する。例えば、踏切遮断竿１０が踏み切り装置に装備された場合に、遮断竿本体２０が水平を向いた遮断状態から起伏した通過可能状態の間でいずれの傾斜角度にあるかを検出する。
照度センサー７６は、例えば、フォトダイオードやフォトトランジスタ等からなり、遮断竿本体２０の周囲の光強度を検出する。なお、照度センサー７６は、遮断竿本体２０の周囲の光強度をより正確に検出するために、防水ケース６４の表面或いは遮断竿本体２０の表面等に装備しても良い。
また、照度センサー７６に替えて、ソーラーパネル５１の出力を光強度として照度検出に用いても良い。
【００３５】
マイコン７３は、内部に制御プログラムを記憶するメモリを備えており、これに従って、以下の制御を実行する。
(1)ＬＥＤの発光パターンの制御
ＬＥＤ４１に対して連続的な点灯、点滅、周期的な点滅等を行い、ＬＥＤ４１による発光の注意喚起力を向上させる。
ＬＥＤ４１の発光パターンは、マイコン７３内の制御プログラムの書き換えにより変更可能としても良い。また、マイコン７３のメモリ内に複数種類の発光パターンを実行させるプログラムを用意し、マイコン７３に接続したスイッチ等の入力手段で発光パターンを選択可能としても良い。
【００３６】
(2)遮断竿本体の傾斜角度と連動したＬＥＤの発光制御
傾斜センサー７５により遮断竿本体２０の傾斜角度が遮断角度の範囲内であるか否かを判定し、遮断角度内である場合にのみＬＥＤ４１を発光させる。即ち、専ら周囲への注意喚起が必要な遮断竿本体の遮断時に各ＬＥＤ４１を発光させる。
遮断角度は角度範囲の幅を持たせても良い。例えば、遮断竿本体２０が起立した通過可能状態から一定の角度（例えば30°）傾斜した状態から遮断状態となるまでの角度範囲を遮断角度としても良い。これにより、遮断する前の段階から、注意喚起を行うことができる。
なお、遮断角度の範囲についてはマイコン７３内のメモリに記録されており、メモリ内のデータの書き換えにより変更可能としても良い。また、マイコン７３のメモリ内に複数の遮断角度の範囲を用意し、マイコン７３に接続したスイッチ等の入力手段で遮断角度の範囲を選択可能としても良い。
【００３７】
(3)遮断竿本体の周囲の明るさと連動したＬＥＤの発光制御
照度センサー７６により遮断竿本体２０の周囲が一定の光強度に満たない状態か否かを判定し、光強度が一定値未満の場合にのみＬＥＤ４１を発光させる。即ち、専ら周囲が暗くて遮断竿本体２０を視認しにくい場合にのみ各ＬＥＤ４１を発光させる。
光強度は一定の閾値を定め、照度センサー７６の検出に基づく周囲の光強度が閾値に満たない場合にＬＥＤ４１の発光を行う。
なお、光強度の閾値についてはマイコン７３内のメモリに記憶し、メモリ内のデータの書き換えにより変更可能としても良い。また、マイコン７３のメモリ内に複数の光強度の閾値を用意し、マイコン７３に接続したスイッチ等の入力手段で光強度の閾値を選択可能としても良い。
【００３８】
なお、上記(2)と(3)の発光制御を両方とも行う場合には、(2)における発光条件と(3)における発光条件の両方を満たす場合にＬＥＤ４１を発光させることが望ましい。
また、上記マイコン７３にスイッチ等からなる入力手段を設け、上記(2)の発光制御と(3)の発光制御のそれぞれの実行の有無を選択可能としたり、(2)の発光条件と(3)の発光条件の両方を満たす場合のみに発光する、或いは(2)の発光条件と(3)の発光条件のいずれか一方のみを満たせば発光する等の設定を可能とする構成としても良い。
【００３９】
［実施形態の技術的効果］
上記構成からなる踏切遮断竿１０は、遮断竿本体２０の正面側に複数のＬＥＤ４１を並べて設け、発光させるので、踏切に対する注意喚起をより効果的に行うことが可能となる。
【００４０】
また、踏切遮断竿１０は、ソーラーパネル５１と当該ソーラーパネル５１から得られる電力により充電を行う二次電池６１とを備えるので、各ＬＥＤ４１を発光させる電力を外部から供給することを不要とすることが可能である。
このため、踏切遮断竿１０を踏切装置に取り付ける際に電源供給のための配線作業を不要とし、取り扱いの容易化を図ることが可能となる。
【００４１】
また、踏切遮断竿１０は、遮断竿本体２０の基端部２１を他の遮断竿本体２０の回動端部２２側に挿入することで相互に直列に連結することを可能とする構造を備えているので、遮断竿本体２０の連結により、道路の幅員に応じて容易に長さ調節を行うことが可能となる。
この場合、前述したように踏切遮断竿１０は外部からの電源供給を不要とするので、連結の際にも連結されたそれぞれの踏切遮断竿１０に対して電源供給を行う為の配線接続作業等を不要とすることができ、接続作業をより容易なものとすることができる。
さらに、長さが異なる複数の遮断竿本体２０を用意することより、より細やかな長さ調節が可能となる。
【００４２】
また、踏切遮断竿１０は、シート状のソーラーパネル５１を遮断竿本体２０の外周面に沿って装備している。
そして、各リード線５３，５４，５５及び防水コネクタ５６，５７を長方形状のユニットカバー４３，５２内に格納し、ＬＥＤユニット４０の各構成を長方形状のユニットカバー４３内に格納すると共に各ユニットカバー４３，５２を遮断竿本体２０の外周面上にその長手方向に沿って一列に並べて配置している。
さらに、制御基板７０及び二次電池６１を防水ケース６４内に格納し、当該防水ケース６４を遮断竿本体２０の内側に装備している。
これらにより、発光装置３０の各構成を遮断竿本体２０の外形に対して極力凹凸が生じないように装備しているので、遮断竿本体２０はほぼ棒状の形状を維持することができ、従来の踏切遮断竿に比べて外観の変化の少ない踏切遮断竿を提供することができる。
また、棒状の形状を維持することから、踏切装置による回動動作が付与される場合でも、遮断竿本体２０を中心とするモーメントが生じにくくなり、不慮の振動の発生を抑制することが可能となる。特に、複数の遮断竿本体を連結した場合でも、上記振動の影響を抑制することが可能である。
【００４３】
また、踏切遮断竿１０は、傾斜センサー７５を備え、遮断竿本体２０が遮断角度の場合に各ＬＥＤ４１を発光させるようにマイコン７３が制御するので、注意喚起の必要性が低い踏切の通過可能状態での発光を抑制し、省電力化を実現することが可能である。
【００４４】
また、踏切遮断竿１０は、照度センサー７６を備え、遮断竿本体２０の周囲が一定の光強度以下の場合に各ＬＥＤ４１を発光させるようにマイコン７３が制御するので、発光による注意喚起の効果が低い昼間などの明るい時間帯での発光を抑制し、省電力化を実現することが可能である。
【００４５】
また、踏切遮断竿１０は、マイコン７３が各ＬＥＤ４１に対して各種の発光パターンでの発光を行うよう制御するので、踏切に対する注意喚起をより効果的に行うことが可能となる。
【００４６】
また、ＬＥＤユニット４０は、ＬＥＤ４１，支持基板４２，ユニットカバー４３，リード線５３，５４，５５及び防水コネクタ５６，５７が一体化してユニット化されているので、例えば、遮断竿本体２０の長さに応じてＬＥＤユニット４０の増設又は削減などの変更を容易に行うことができ、製造の容易化を図ることが可能となっている。
【００４７】
また、ＬＥＤユニット４０のユニットカバー４３とソーラーユニット５０のユニットカバー５２とを遮断竿本体２０の長手方向に沿ってその外周面上に一列に並べて装備すると共に、当該遮断竿本体２０の基端部側には、いずれのユニットカバー４３，５２も装備しない配置としているので、これらのユニットカバー４３，５２が踏切遮断竿１０同士の連結の妨げとならず、容易に連結することを可能としている。
【００４８】
［その他］
なお、本実施形態で示した踏切遮断竿１０は、上記構成のものに限定されない。
例えば、踏切遮断竿１０は、その遮断竿本体２０により他の踏切遮断竿１０との連結が可能であることを例示したが、これに限らず、例えば、踏切遮断竿１０を、発光装置３０を備えていない他の踏切遮断竿（遮断竿本体２０のみからなる踏切遮断竿）と連結しても良い。
【００４９】
また、遮断竿本体２０の連結部の構造は着脱可能であれば良く、図３に示すものに限られない。例えば、基端部２１と回動端部２２の連結部の構造は逆でも良い。つまり、基端部２１の内径が拡径し、回動端部２２の外径が縮径する形状としても良い。
また、遮断竿本体２０の基端部２１又は回動端部２２に段部を設けて小径とし、他方の端部側に挿入可能としても良い。或いは、遮断竿本体２０の基端部２１又は回動端部２２に段部を設けて大径とし、その内部に他方の端部を挿入可能としても良い。
また、遮断桿本体の一方に雄ネジ部を形成し、遮断桿本体の他方に雌ネジ部を形成することで、一方を他方にねじ込むことで螺合させて連結する構造としても良い。
また、図３の例では、遮断竿本体２０の両端部が他の遮断竿本体と連結可能な連結部となっているがこれに限定されない。例えば、遮断竿本体２０の基端部２１又は回動端部２２のいずれか一方のみ、外径を小さくする、或いは、内径を大きくする等により連結部を設け、他の遮断竿本体を連結可能としても良い。
【００５０】
また、ソーラーパネル５１の個体数及びその形状は任意である。また、ソーラーパネル５１の配置は、外部からの光照射を受けることが可能であれば踏切遮断竿１０のいずれに配置しても良い。
【００５１】
また、ＬＥＤ４１の個数、ＬＥＤユニット４０及びソーラーユニット５０の個数は、例示であり、適宜増減することが可能である。
また、ＬＥＤユニット４０の各構成についてはその配置は変更可能である。例えば、遮断竿本体２０の内側にＬＥＤユニット４０を配置しても良い。その場合、リード線５３，５４，５５が内側に設けられるので、各ユニットカバー４３，５２を不要とすることができる。また、その場合、遮断竿本体２０の外周面にＬＥＤ４１の照射用の窓部を形成することが望ましい。また、外側のソーラーパネル５１とリード線５４，５５とを接続する為に遮断竿本体２０に配線用の貫通穴を設けることが望ましい。
そして、ＬＥＤ４１の窓部や配線用の貫通穴にはシール部材を装備したり、遮断竿本体２０の外周面全体を透明シートで覆い、防水を行っても良い。
【００５２】
また、制御ユニット６０は、遮断竿本体２０の内側に設けているが、ＬＥＤユニット４０のようにユニットカバーにその構成を格納し、遮断竿本体２０の外周面上に配置しても良い。その場合、そのユニットカバーにも水密構造を設けることが望ましい。
【００５３】
また、複数のＬＥＤ４１はそれぞれが同じように発光パターンに従って発光する場合を例示したが、これに限らない。例えば、制御用のリード線を増設する等により、個々のＬＥＤ４１毎或いはＬＥＤユニット４０毎に異なる発光パターンで発光させたり、各ＬＥＤ４１を順番に発光させる等、制御基板７０が多様な発光制御を行っても良い。
【００５４】
また、各ＬＥＤ４１は、二次電池６１から電源の供給を受けているが、二次電池６１と各ソーラーパネル５１のいずれからも電源の供給を受けることができるように構成しても良い。
【００５５】
また、踏切遮断竿１０では、制御基板７０に充電制御部７１を設け、充電制御を行ってソーラーパネル５１から二次電池６１への充電を行っているが、例えば、充電制御部を設けずにソーラーパネル５１から二次電池６１への蓄電を行っても良い。
また、制御部としての制御基板７０は、ＬＥＤ４１に対する発光制御と二次電池６１に対する充電制御とを行う構成としているが、これに限定されるものではない。
例えば、制御部としての制御基板７０は、専らＬＥＤ４１に対する発光制御のみを行い、制御基板とは別に、専ら二次電池６１に対する充電制御を行う充電制御部としての制御基板を設けても良い。
【符号の説明】
【００５６】
１０  踏切遮断竿
２０  遮断竿本体
２１  基端部（連結部）
２２  回動端部（連結部）
３０  発光装置
４０  ＬＥＤユニット
４１  ＬＥＤ（発光部）
４２  支持基板
４３  ユニットカバー
５０  ソーラーユニット
５１  ソーラーパネル（発電部）
５２  ユニットカバー
５３，５４，５５  リード線（配線）
５６，５７  防水コネクタ
６０  制御ユニット
６１  二次電池（蓄電部）
６４  防水ケース
７０  制御基板（制御部）
７３  マイコン
７５  傾斜センサー（角度検出部）
７６  照度センサー（光検出部）
【図１】
0006017387.tif 000002
【図２】
0006017387.tif 000003
【図３】
0006017387.tif 000004
【図４】
0006017387.tif 000005
【図５】
0006017387.tif 000006
【図６】
0006017387.tif 000007